(57)【要約】【課題】ディスク管理情報の取得に関して、信頼性を確保しつつ、有効な管理情報を効率良く取得してセットアップ時間を短縮させること。【解決手段】管理情報として、ディスクの内周側領域に記録再生動作の条件を記述した第３の管理情報（２５，２６）が配置され、ディスクの内周側領域と外周側領域とに第３の管理情報のアドレスを記述した第１の管理情報群（２１，２２）と第２の管理情報群（２３，２４）とが配置される。ピックアップ３は、内周側領域から第１の管理情報群を読み出し、そこに記述された有効アドレスに従い第３の管理情報を取得する。次に外周側領域に移動して第２の管理情報群を読み出す。もし第２の管理情報群の更新回数が第１の管理情報群の更新回数よりも大きい場合には、第２の管理情報群に記述された有効アドレスに従い第３の管理情報を取得する。【選択図】図４
2007066415.tif 000002
【特許請求の範囲】
【請求項１】
光ディスク媒体の管理情報がディスク上の半径方向の異なる複数の領域に更新され多重されて記録された光ディスク媒体に対する情報記録再生装置において、
該光ディスク媒体を回転させるスピンドルモータと、
該光ディスク媒体に情報を記録し該光ディスク媒体から情報を再生するピックアップと、
該ピックアップに対する記録信号と再生信号を処理する記録再生回路と、
該スピンドルモータの回転と該ピックアップの移動を制御するサーボ回路と、
該記録再生回路と該サーボ回路を介して該ピックアップの読み出し動作を制御し、該光ディスク媒体から再生した管理情報に基づき当該装置の記録再生動作条件を設定するマイクロプロセッサと、
該マイクロプロセッサの制御条件と記録再生動作条件を記憶する制御メモリとを備え、
上記光ディスク媒体の管理情報として、ディスクの内周側領域に記録再生動作を設定するための条件を記述した第３の管理情報が配置され、ディスクの内周側領域と外周側領域とに該第３の管理情報の有効アドレスを記述した第１の管理情報群と第２の管理情報群とがそれぞれ配置されているとき、
上記ピックアップは、内周側領域から上記第１の管理情報群を読み出し、該第１の管理情報群に記述された有効アドレスに従い上記第３の管理情報を取得し、
次に該ピックアップは外周側領域に移動して上記第２の管理情報群を読み出し、該第２の管理情報群の更新回数が上記第１の管理情報群の更新回数よりも大きい場合には、該ピックアップは内周側領域に移動して該第２の管理情報群に記述された有効アドレスに従い上記第３の管理情報を取得することを特徴とする情報記録再生装置。
【請求項２】
請求項１記載の情報記録再生装置において、
前記光ディスク媒体の前記第１の管理情報群及び前記第２の管理情報群にはさらに複数個の管理情報が多重されて配置されているとき、
前記ピックアップは、該第１の管理情報群と該第２の管理情報群に含まれる複数個の管理情報を、それらが更新された順序に従い読み出して、
該ピックアップは、１つの管理情報が正常に読み出せた場合、以降の管理情報の読み出しを停止するか、又は以降の管理情報については読み出し失敗時のリトライ回数を減じて読み出しを行い、
読み出せた該管理情報のうちで更新回数が最多の管理情報に記述された有効アドレスに従い前記第３の管理情報を取得することを特徴とする情報記録再生装置。
【請求項３】
請求項１記載の情報記録再生装置において、
前記光ディスク媒体の前記第１の管理情報群及び前記第２の管理情報群には、他の管理情報として、当該光ディスク媒体の欠陥位置と交替位置を記述した複数個の欠陥情報リストと、該欠陥情報リストの開始アドレスとが複数通り記述されているとき、
前記ピックアップは、該第１の管理情報群と該第２の管理情報群に含まれる上記欠陥情報リストを、それらが更新された順序に従い読み出して、
該ピックアップは、１つの欠陥情報リストを正常に取得できた場合、以降の欠陥情報リストについては該リストの更新回数を含む情報が記述された先頭領域のみを読み出して、新たに読み出した欠陥情報リストの更新回数が既に取得した欠陥情報リストの更新回数より大きくなければ、新たに読み出す欠陥情報リストの残りの領域の情報の読み出しを停止することを特徴とする情報記録再生装置。
【請求項４】
請求項１記載の情報記録再生装置において、
前記光ディスク媒体の内周側領域には、情報記録時の記録パワーを設定するために用いる試し書き領域を有し、
前記ピックアップが前記管理情報の取得を終了した時点の位置が上記試し書き領域よりも内周側である場合には、該試し書き領域よりも外周側の位置に移動して待機することを特徴とする情報記録再生装置。
【請求項５】
光ディスク媒体の管理情報がディスク上の半径方向の異なる複数の領域に更新され多重されて記録された光ディスク媒体に対する情報記録再生方法において、
該管理情報として、ディスクの内周側領域に、記録再生動作を設定するための条件を記述した第３の管理情報が配置され、ディスクの内周側領域と外周側領域とに該第３の管理情報の有効アドレスを記述した第１の管理情報群と第２の管理情報群とがそれぞれ配置されているとき、
内周側領域から上記第１の管理情報群を読み出し、該第１の管理情報群に記述された有効アドレスに従い上記第３の管理情報を取得し、
次に外周側領域から上記第２の管理情報群を読み出し、該第２の管理情報群の更新回数が上記第１の管理情報群の更新回数よりも大きい場合には、該第２の管理情報群に記述された有効アドレスに従い上記第３の管理情報を取得することを特徴とする情報記録再生方法。
【請求項６】
請求項５記載の情報記録再生方法において、
前記第１の管理情報群及び前記第２の管理情報群にはさらに複数個の管理情報が多重されて配置されているとき、
該第１の管理情報群と該第２の管理情報群に含まれる複数個の管理情報を、それらが更新された順序に従い読み出して、
１つの管理情報が正常に読み出せた場合、以降の管理情報の読み出しを停止するか、又は以降の管理情報については読み出し失敗時のリトライ回数を減じて読み出しを行い、
読み出せた該管理情報のうちで更新回数が最多の管理情報に記述された有効アドレスに従い前記第３の管理情報を取得することを特徴とする情報記録再生方法。
【請求項７】
請求項５記載の情報記録再生方法において、
前記第１の管理情報群及び前記第２の管理情報群には、他の管理情報として、当該光ディスク媒体の欠陥位置と交替位置を記述した複数個の欠陥情報リストと、該欠陥情報リストの開始アドレスとが複数通り記述されているとき、
該第１の管理情報群と該第２の管理情報群に含まれる上記欠陥情報リストを、それらが更新された順序に従い読み出して、
１つの欠陥情報リストを正常に取得できた場合、以降の欠陥情報リストについては該リストの更新回数を含む情報が記述された先頭領域のみを読み出して、新たに読み出した欠陥情報リストの更新回数が既に取得した欠陥情報リストの更新回数より大きくなければ、新たに読み出す欠陥情報リストの残りの領域の情報の読み出しを停止することを特徴とする情報記録再生方法。
【発明の詳細な説明】
【技術分野】
【０００１】
本発明は、高密度光ディスク等の記録媒体を用いる情報記録再生装置及び情報記録再生方法に関するものである。
【背景技術】
【０００２】
光ディスクは更なる高密度化に対応するため、より信頼性の高い媒体の管理が要求されている。装着された光ディスク毎に、ディスク上のどの位置に欠陥があり、またその交替領域がどの位置にあるかを示す欠陥管理情報は、情報を記録または再生を実行する上で欠かせない情報である。また、装着されたディスクに対する記録再生時の各種の条件、例えば記録パワー等の値を保存し、記録再生動作の起動時にこれを読み出して設定することで、セットアップの効率化が図られている。欠陥管理情報は、ディスクの複数の位置に欠陥管理領域（Ｄｉｓｃ  Ｍａｎａｇｅｍｅｎｔ  Ａｒｅａ、以下ＤＭＡと略す）を設けて、各領域に多重記録されている。
【０００３】
例えばＤＶＤ−ＲＡＭディスクでは、４つの欠陥管理領域（ＤＭＡ１〜ＤＭＡ４）が設けており、光ディスクの内周側に２つの欠陥管理領域を配置し、光ディスクの外周側に残りの２つの欠陥管理領域を配置している（例えば特許文献１）。
【０００４】
またＤＶＲ（Ｄａｔａ  ＆  Ｖｉｄｅｏ  Ｒｅｃｏｒｄｉｎｇ）と呼ばれる大容量高密度ディスクにおいて、ディスク内周側の２つの欠陥管理領域（ＤＭＡ１、ＤＭＡ２）を試し書き領域（ＯＰＣ）を挟んでディスク半径方向に離れて配置している。これにより、ディフェクト、傷等のために、２つの欠陥管理領域（ＤＭＡ１、ＤＭＡ２）が同時にダメージを受けることを防止し、ＤＭＡの信頼性を向上させている。また、欠陥管理領域のＤｉｓｃ  Ｄｅｆｉｎｉｔｉｏｎ  Ｓｔｒｕｃｔｕｒｅ（ＤＤＳ）に更新回数を記録し、その更新回数がオーバーライト回数の限界値に達した場合、欠陥管理の記録領域を交替させ、ＤＭＡの記録再生の信頼性を高めている。そしてこのＤＤＳの更新回数を比較し、どのＤＭＡのデータが有効であるかを判断している（例えば特許文献２）。
【０００５】
【特許文献１】特開２００２−２４５７２３号公報
【特許文献２】特開２００４−１４０８８号公報
【発明の開示】
【発明が解決しようとする課題】
【０００６】
高密度光ディスクでは、更に、例えば記録パワー等のディスクの状態情報（以下、ＤＳＩと呼ぶことにする）を管理する領域（以下、Ｄｉｓｃ状態領域と呼ぶ）を設けることにより、総合的にディスクの管理が可能となる。その場合にもＤｉｓｃ状態領域は、ディスク内周側領域（リードイン）内もしくは内周側領域内と外周側領域（リードアウト）内の複数の領域に分割して記録して、信頼性を向上させることができる。その際、どの領域のデータが有効であるかについても、前記ＤＤＳの情報にＤＳＩの有効アドレスを記述して管理することが可能である。
【０００７】
このように、複数個の欠陥管理領域（ＤＭＡ１〜ＤＭＡ４）と複数個のＤｉｓｃ状態領域を設けた高密度ディスクに対しては、これらの情報を順次読み出して、読み出した各データを比較しどの情報が有効な情報（最新の情報）であるかを判断する。そして有効と判断した情報に基づいて、記録再生動作のセットアップ処理を行うことになる。高密度ディスクにおいては、管理情報が増加するだけでなく、増加した各情報領域はディスクの内周側（リードイン）と外周側（リードアウト）に離散して配置されているので、読取り用ピックアップが各位置間を移動し、場合によっては往復することも必要となる。ピックアップの移動速度には限界があるので、情報読み出しのための時間が増大し、セットアップ時間が増大するという課題を有している。
【０００８】
本発明の目的は、管理情報の取得に関して信頼性を確保しつつ、有効な管理情報を効率良く取得してセットアップ時間を短縮させる情報記録再生装置及び情報記録再生方法を提供することにある。
【課題を解決するための手段】
【０００９】
本発明は、光ディスク媒体の管理情報がディスク上の半径方向の異なる複数の領域に更新され多重されて記録された光ディスク媒体に対する情報記録再生装置であって、該光ディスク媒体を回転させるスピンドルモータと、該光ディスク媒体に情報を記録し該光ディスク媒体から情報を再生するピックアップと、該ピックアップに対する記録信号と再生信号を処理する記録再生回路と、該スピンドルモータの回転と該ピックアップの移動を制御するサーボ回路と、該記録再生回路と該サーボ回路を介して該ピックアップの読み出し動作を制御し、該光ディスク媒体から再生した管理情報に基づき当該装置の記録再生動作条件を設定するマイクロプロセッサと、該マイクロプロセッサの制御条件と記録再生動作条件を記憶する制御メモリとを備える。上記光ディスク媒体の管理情報として、ディスクの内周側領域に記録再生動作を設定するための条件を記述した第３の管理情報が配置され、ディスクの内周側領域と外周側領域とに該第３の管理情報の有効アドレスを記述した第１の管理情報群と第２の管理情報群とがそれぞれ配置されている。上記ピックアップは、内周側領域から上記第１の管理情報群を読み出し、該第１の管理情報群に記述された有効アドレスに従い上記第３の管理情報を取得し、次に該ピックアップは外周側領域に移動して上記第２の管理情報群を読み出し、該第２の管理情報群の更新回数が上記第１の管理情報群の更新回数よりも大きい場合には、該ピックアップは内周側領域に移動して該第２の管理情報群に記述された有効アドレスに従い上記第３の管理情報を取得する。
【００１０】
また、前記光ディスク媒体の前記第１の管理情報群及び前記第２の管理情報群にはさらに複数個の管理情報が多重されて配置されているとき、前記ピックアップは、該第１の管理情報群と該第２の管理情報群に含まれる複数個の管理情報を、それらが更新された順序に従い読み出して、該ピックアップは、１つの管理情報が正常に読み出せた場合、以降の管理情報の読み出しを停止するか、又は以降の管理情報については読み出し失敗時のリトライ回数を減じて読み出しを行い、読み出せた該管理情報のうちで更新回数が最多の管理情報に記述された有効アドレスに従い前記第３の管理情報を取得する。
【００１１】
また、前記光ディスク媒体の前記第１の管理情報群及び前記第２の管理情報群には、他の管理情報として、当該光ディスク媒体の欠陥位置と交替位置を記述した複数個の欠陥情報リストと、該欠陥情報リストの開始アドレスとが複数通り記述されているとき、前記ピックアップは、該第１の管理情報群と該第２の管理情報群に含まれる上記欠陥情報リストを、それらが更新された順序に従い読み出して、該ピックアップは、１つの欠陥情報リストを正常に取得できた場合、以降の欠陥情報リストについては該リストの更新回数を含む情報が記述された先頭領域のみを読み出して、新たに読み出した欠陥情報リストの更新回数が既に取得した欠陥情報リストの更新回数より大きくなければ、新たに読み出す欠陥情報リストの残りの領域の情報の読み出しを停止する。
【００１２】
また、前記光ディスク媒体の内周側領域には、情報記録時の記録パワーを設定するために用いる試し書き領域を有し、前記ピックアップが前記管理情報の取得を終了した時点の位置が上記試し書き領域よりも内周側である場合には、該試し書き領域よりも外周側の位置に移動して待機する。
【００１３】
また本発明は、光ディスク媒体の管理情報がディスク上の半径方向の異なる複数の領域に更新され多重されて記録された光ディスク媒体に対する情報記録再生方法であって、該管理情報として、ディスクの内周側領域に、記録再生動作を設定するための条件を記述した第３の管理情報が配置され、ディスクの内周側領域と外周側領域とに該第３の管理情報の有効アドレスを記述した第１の管理情報群と第２の管理情報群とがそれぞれ配置されている。まず内周側領域から上記第１の管理情報群を読み出し、該第１の管理情報群に記述された有効アドレスに従い上記第３の管理情報を取得し、次に外周側領域から上記第２の管理情報群を読み出す。該第２の管理情報群の更新回数が上記第１の管理情報群の更新回数よりも大きい場合には、該第２の管理情報群に記述された有効アドレスに従い上記第３の管理情報を取得する。
【発明の効果】
【００１４】
本発明によれば、光ディスク媒体から管理情報を読み出してセットアップする時間が短縮され、信頼性が高くユーザの使い勝手に優れた情報記録再生装置及び情報記録再生方法を提供することができる。
【発明を実施するための最良の形態】
【００１５】
以下、本発明の実施の形態を図面に基づいて説明する。
【実施例１】
【００１６】
図１は、本発明による情報記録再生装置の一実施例として、光ディスク装置のブロック構成を示す図である。記録再生媒体として光ディスク１は、スピンドルモータ２により所定の回転速度で回転する。ピックアップ３はレーザ光源やフォトディテクタ、及び光学レンズ系を含み、光ディスク１にレーザ光を照射し、情報の記録及び再生を行う。サーボ回路４はスピンドルモータ２の回転と、ピックアップ３のディスク半径方向の位置を制御し、トラッキング方向及びフォーカス方向の制御を行う。記録・再生回路５は、ピックアップ３の読み出した信号に対して２値化、復調、デコード、誤り訂正等の再生処理と、ピックアップ３に供給する記録信号の変調、補償などの記録処理を行う。記録再生用のデータは、バッファメモリ８に一時保存され、インタフェース制御回路９を介して、外部に接続された上位装置１０（例えばパーソナルコンピュータ）との間で送受信される。上位装置１０からのコマンドを受け、マイクロプロセッサ６は、サーボ回路４、記録・再生回路５、インタフェース制御回路９を制御して、記録・再生動作などの各種処理を制御する。制御メモリ７は、制御に必要なプログラムやデータを保存する。
【００１７】
本実施例では、記録再生動作開始時、ピックアップ２は光ディスク１上の内周側及び外周側に設けられたＤＭＡなどの管理情報記録領域にアクセス（シーク動作）し、管理情報を取得する。マイクロプロセッサ６は、ピックアップ２のアクセスのシーケンスを制御し、取得した管理情報を基に、装着された光ディスクに適応した記録再生条件に装置のセットアップを実行する。その際マイクロプロセッサ６は、有効な管理情報を効率よく取得するための手段として、管理情報が正常に読み出せたかどうかを判断するＤＭＡエラー検出回路６１、読み出した管理情報を一旦記憶するＤｉｓｃ状態情報記憶回路６２、各管理情報に記述された更新回数を比較するＤＤＳ更新回数比較回路６３、及び管理情報のアドレスが一致するかどうか比較するＤＳＩアドレス比較回路６４などを備える。
【００１８】
図２は、本実施例にて使用する高密度リライタブル光ディスクの領域構成の一例を示す図である。光ディスク１は、内周側にリードインゾーン１１、外周側にリードアウトゾーン１３、中間にユーザデータ等を記録するデータゾーン１２を有し、管理情報はリードインゾーン１１とリードアウトゾーン１３に記録される。本実施例では、ディスクのどの位置に欠陥があり、どの位置に交替領域を設けたかを記述した４個の欠陥管理領域（ＤＭＡ）と、当該ディスクに対する記録パワー等の記録再生条件を記述した２個のディスク状態情報を有する場合を想定する。これらの情報は複数位置に多重して記録することで、読み出しの信頼性を高めることができる。リードインゾーン１１にはＤＭＡ１（２１）とＤＭＡ２（２２）、およびＤｉｓｃ状態情報１（２５）とＤｉｓｃ状態情報２（２６）を有する。ＤＭＡ１とＤＭＡ２とは、試し書き領域（ＯＰＣ）２７を挟んでディスク半径方向に離れて配置し、Ｄｉｓｃ状態情報１とＤｉｓｃ状態情報２についても同様である。このように配置することで、ディスクの欠陥や傷に対する耐性を強化できる。またリードアウトゾーン１３には、ＤＭＡ３（２３）とＤＭＡ４（２４）とを有する。なお、「Ｒｓｖ」はリザーブ領域である。
【００１９】
各ＤＭＡには、４個のＤＤＳ（Ｄｉｓｃ  Ｄｅｆｉｎｉｔｉｏｎ  Ｓｔｒｕｃｔｕｒｅ）３１ａ〜３１ｄが繰り返し記録され、また欠陥位置情報を記述した７個のＤＦＬ（Ｄｅｆｅｃｔ  Ｌｉｓｔ）記録領域３２ａ〜３２ｇを有する。ＤＤＳには管理情報の更新回数やアドレス情報が記述され、これらを基に有効なＤＦＬを取得する。これについては後述する。
【００２０】
一方Ｄｉｓｃ状態情報１，２（２５，２６）は複数の分割された領域にＤｉｓｃ状態情報（ＤＳＩ）３３ａ，３３ｂ，・・・が記録される。そして、前記ＤＤＳに記述された更新回数やアドレス情報等を基に、有効なＤＳＩを取得する。多重して記録された複数の情報に対し、どの情報が最新のものであるかはその更新回数で判断する。つまり、更新回数が最多の情報を選択して、装置のセットアップ条件として適用する。
【００２１】
図３は、図２におけるＤＤＳ（Ｄｉｓｃ  Ｄｉｆｉｎｉｔｉｏｎ  Ｓｔｒｕｃｔｕｒｅ）及びＤＦＬ（Ｄｅｆｅｃｔ  Ｌｉｓｔ）に含まれる管理情報の一例を示す図である。
【００２２】
（ａ）は各ＤＤＳ（３１ａ，ｂ，・・）の内容であり、バイト位置４には当該ＤＤＳの更新回数が記録される。バイト位置８にはＤｉｓｃ状態情報１（２５）の有効ＤＳＩアドレスが、またバイト位置１２にはＤｉｓｃ状態情報２（２６）の有効ＤＳＩアドレスが記録される。これらにより、有効なＤｉｓｃ状態情報１，２（３３）を取得することができる。さらにバイト位置２４にはＤＭＡ内Ｄｅｆｅｃｔ  Ｌｉｓｔ開始物理アドレス（ＡＤ＿ＤＦＬ）が記録され、これにより有効なＤＦＬ（３２）を取得することができる。
【００２３】
（ｂ）は各ＤＦＬ（３２ａ，ｂ，・・）の内容であり、各ＤＦＬは４クラスタから構成される。そのうち１番目（先頭）のクラスタのバイト位置０には当該ＤＦＬの更新回数を含むＤＦＬ管理情報が記録される。続いてバイト位置６４以降はこれに続く２〜４番目のクラスタに渡り、交替アドレス情報が記録され、交替元クラスタの物理アドレスと交替先クラスタの物理アドレスとが対になって記述される。つまり２〜４番目のクラスタには交替アドレス情報は記録されるが、ＤＦＬ更新回数は記録されていない。
【００２４】
本実施例は、上記したような複数個の管理情報を有するディスクから、効率良く有効な管理情報を取得するものであるが、それを説明する前に、従来の取得方法を説明する。
【００２５】
図７と図８は、図２に示すディスクから有効な管理情報（ＤＦＬ及びＤｉｓｃ状態情報）を取得する従来のシーケンスを説明する図である。図７は全体のシーケンスを示し、図８は図７における各ＤＭＡ読み出しの詳細を示す図である。
【００２６】
図７では、全て（４個）のＤＭＡ１〜４を順に読み出し（Ｓ７０２〜Ｓ７０５）、どれが最新のＤＭＡであるかをＤＤＳの更新回数にて判断する。そして、最新のＤＭＡに記述された有効ＤＳＩアドレスにより有効なＤｉｓｃ状態情報１，２を読み出す（Ｓ７０６，Ｓ７０７）ものである。
【００２７】
図８は、各ＤＭＡの読み出し方法を示すもので、まず当該ＤＭＡから４個のＤＤＳを読み出す（Ｓ８０１）。ＤＤＳの読み出し成否を判定し（Ｓ８０２）、もし読み出しに失敗したら規定回数を限度に読み出し動作をリトライして、４個のＤＤＳを全て読めるまで繰り返す。リトライ回数が規定回数を超えたら、当該ＤＭＡの読み出しは終了する（Ｓ８０３）。読み出しに成功したら、読み出した４個のＤＤＳのうち更新回数が最多のＤＤＳを選択する（Ｓ８０４）。選択したＤＤＳの更新回数を、既に読み出したＤＭＡから取得したＤＤＳの更新回数と比較する（Ｓ８０５）。当該ＤＤＳの更新回数の方が大きければ当該ＤＤＳの情報で置き換える（Ｓ８０６）。既に取得したＤＤＳの更新回数の方が大きければ（Ｓ８０５でＮｏ）、既に取得したＤＤＳの情報のままとする。
【００２８】
次に取得したＤＤＳ情報に記述されているＤＦＬアドレス（ＡＤ＿ＤＦＬ）にて指定されたＤＦＬを読み出す。このとき、ＤＦＬの単位となる４クラスタ全部を読み出す（Ｓ８０７）。ＤＦＬの読み出し成否を判定し（Ｓ８０８）、もし読み出しに失敗したら規定回数を限度に読み出しをリトライして、ＤＦＬの４クラスタを読めるまで繰り返す。リトライ回数が規定回数を超えたら、当該ＤＭＡの読み出しは終了する（Ｓ８０９）。読み出しに成功したら、当該ＤＦＬに記述された更新回数を、既に読み出したＤＭＡから取得したＤＦＬの更新回数と比較する（Ｓ８１０）。当該ＤＦＬの更新回数の方が大きければ当該ＤＦＬの情報で置き換える（Ｓ８１１）。既に取得したＤＦＬの更新回数の方が大きければ（Ｓ８１０でＮｏ）、既に取得したＤＦＬの情報のままとする。
【００２９】
以上述べた従来のシーケンスをまとめると、次のようになる。
（１）各ＤＭＡのＤＤＳを４個再生し、ＤＤＳ更新回数が最多のＤＤＳと、このＤＤＳのＡＤ＿ＤＦＬの指定するＤＦＬを取得する。
（２）上記取得ＤＤＳ、ＤＦＬの更新回数が既に取得済み情報の更新回数より大きい場合には、当該情報で置き換える。
（３）全てのＤＭＡを再生後、更新回数が最多のＤＤＳの情報の示すＤｉｓｃ状態情報の有効データ位置からＤｉｓｃ状態情報を取得する。
【００３０】
図９は、管理情報取得のために必要なピックアップの移動を模式的に示す図である。（ａ）は上記従来のシーケンスの場合で、４個のＤＭＡと２個のＤｉｓｃ状態情報を順にスキャンすることになる。すなわち、データの更新順番に従い、ＤＭＡ１→ＤＭＡ２→ＤＭＡ３→ＤＭＡ４→Ｄｉｓｃ状態情報１→Ｄｉｓｃ状態情報２の順番となる。この図から分かるように、ピックアップはデータゾーンを横切り内周側と外周側とを往復せねばならない。ピックアップの移動速度には限界があり、全ての情報取得を完了するまで、多くの時間を必要とする。
【００３１】
図４は、本発明における管理情報取得のシーケンスの一実施例を示す図である。この実施例では、マイクロプロセッサ６内のＤＭＡエラー検出回路６１はＤＳＳを正常に読み出せたかを判断し、内周側に配置されたＤＤＳを正常に読み出せたと判断した場合、マイクロプロセッサ６は、引き続き内周側に存在するＤｉｓｃ状態情報を先に読み出し、次にピックアップを外周側に移動して外周側に配置されるＤＤＳを読むようにサーボ回路４および記録・再生回路５を制御することに特徴がある。
【００３２】
まず内周側のＤＭＡ１とＤＭＡ２を読み出し（Ｓ４０２、Ｓ４０３）、各ＤＭＡに記述されているＤＤＳ情報を正常に読み出せたかどうかをＤＭＡエラー検出回路６１により判定する（Ｓ４０４）。すなわち、各ＤＭＡから各々４個のＤＤＳを読み出し、ＤＤＳの更新回数が最多となるＤＤＳ情報（有効ＤＤＳ）を取得する。引き続き、取得した有効ＤＤＳに記述される有効ＤＳＩアドレスにより指定される有効なＤｉｓｃ状態情報１，２を読み出し、Ｄｉｓｃ状態情報記憶回路６２に記憶する（Ｓ４０５、Ｓ４０６）。次にピックアップを外周側に移動して、ＤＭＡ３とＤＭＡ４を読み出す（Ｓ４０７、Ｓ４０８）。もしステップＳ４０４にて有効ＤＤＳを取得できなかったら、マイクロプロセッサ６は、Ｄｉｓｃ状態情報１，２を読み出さずに、外周側のＤＭＡ３、ＤＭＡ４の読み出しに移行するようサーボ回路４および記録・再生回路５を制御する。
【００３３】
次にマイクロプロセッサ６内のＤＳＳ更新回数比較回路６３は、内周側ＤＭＡ１，２の有効ＤＤＳの更新回数と、外周側のＤＭＡ３，４の有効ＤＤＳの更新回数とを比較する（Ｓ４０９）。外周側のＤＭＡ３，４のＤＤＳの更新回数の方が大きければ（Ｓ４０９でＹｅｓ）、マイクロプロセッサ６は、改めてＤｉｓｃ状態情報１，２を読み出すようサーボ回路４および記録・再生回路５を制御する。外周側のＤＭＡ３，４のＤＤＳの更新回数の方が大きくなければ（Ｓ４０９でＮｏ）、情報取得を終了する（Ｓ４１８）。ここで、管理情報の更新はＤＭＡ１→ＤＭＡ２→ＤＭＡ３→ＤＭＡ４の順に行われるので、外周側のＤＭＡ３，４のＤＤＳの更新回数の方が大きくなくことは稀であり、よってＳ４０９の判定はＮｏになることが圧倒的に多い。
【００３４】
Ｓ４０９の判定がＹｅｓの場合は、前記ステップＳ４０５，Ｓ４０６にてＤｉｓｃ状態情報１，２を取得済みかどうか判定する（Ｓ４１０）。取得済みでなければ、ＤＭＡ３，４の有効ＤＤＳ情報に記述された有効ＤＳＩアドレスにより指定されるＤｉｓｃ状態情報１，２を読み出し、Ｄｉｓｃ状態情報記憶回路６２に記憶する（Ｓ４１１、Ｓ４１２）。Ｓ４１０で取得済みであれば、Ｄｉｓｃ状態情報記憶回路６２に取得済みのＤｉｓｃ状態情報１の有効ＤＳＩアドレスが、ＤＭＡ３，４の有効ＤＤＳ情報に記述された有効ＤＳＩアドレスと異なるかどうかを、ＤＳＩアドレス比較回路６４で判定する（Ｓ４１３）。有効ＤＳＩアドレスが異なっていれば、ＤＭＡ３，４から得た有効ＤＳＩアドレスの指定するＤｉｓｃ状態情報１を読み出し、Ｄｉｓｃ状態情報記憶回路６２に記憶する（Ｓ４１４）。有効ＤＳＩアドレスが同じであれば、Ｄｉｓｃ状態情報記憶回路６２に取得済みのＤｉｓｃ状態情報１のままとする。同様に、取得済みのＤｉｓｃ状態情報２の有効ＤＳＩアドレスが、ＤＭＡ３，４の有効ＤＤＳ情報に記述された有効ＤＳＩアドレスと異なるかどうかをＤＳＩアドレス比較回路６４で判定する（Ｓ４１５）。有効ＤＳＩアドレスが異なっていれば、ＤＭＡ３，４から得た有効ＤＳＩアドレスの指定するＤｉｓｃ状態情報２を読み出し、Ｄｉｓｃ状態情報記憶回路６２に記憶する（Ｓ４１６）。有効ＤＳＩアドレスが同じであれば、Ｄｉｓｃ状態情報記憶回路６２に取得済みのＤｉｓｃ状態情報２のままとする。
【００３５】
これで管理情報の取得を完了し、これらの情報に従い装置のセットアップを終了する。さらに管理情報の取得が完了した時点でのピックアップの位置がＯＰＣ領域２７よりも内周側に留まっている場合には、マイクロプロセッサ６の制御によりピックアップ位置をＯＰＣ領域より外周側の位置に移動（シーク）させるのが好ましい（Ｓ４１７）。ピックアップの位置がＯＰＣ領域２７よりも内周側に留まるのは、ＯＰＣ領域２７よりも内周側に存在するＤｉｓｃ状態情報２を読み出した場合（上記Ｓ４１２やＳ４１６）である。ＯＰＣ領域は、記録パワー調整のため高パワーのレーザ光が繰り返し照射される。よってその領域の記録膜はダメージを受けていることが多い。このような領域をピックアップが通過すると、再生信号やトラッキング信号が不安定になりサーボ外れが生じる恐れがある。一旦サーボ外れが生じると、その復旧に時間がかかり好ましくない。よってピックアップをＯＰＣ領域の外周側に移動させることにより、セットアップ後の記録再生動作を好適に実行することができる。
【００３６】
以上のシーケンスにおけるピックアップの移動を、図９の（ｂ）と（ｃ）に示す。（ｂ）は、図４のシーケンスにおいてステップＳ４０９の判定がＮｏとなる場合に対応し、正常なディスクを用いたときの正常ケースを示したものである。すなわち、内周側のＤｉｓｃ状態情報１，２を読み出した後、外周側に移動してＤＭＡ３，ＤＭＡ４を読み出した時点で終了する。なぜなら、管理情報は、ＤＭＡ１→ＤＭＡ２→ＤＭＡ３→ＤＭＡ４の順に同一データを更新して記録したものである。記録の途中で何らかの障害（例えば装置の電源ＯＦＦ）により記録がなされなかったとしても、内周側のＤＭＡ１，ＤＭＡ２は先行して記録される領域であり、確実に記録されていることが期待でき信頼性が高い。よって、内周側のデータＤＭＡ１，２を読むだけで十分であることが多い。（ｂ）の正常ケースの場合には、ピックアップは外周側から内周側へ戻る必要がないので、従来のシーケンス（ａ）と比較し、大幅な時間短縮が図られる。
【００３７】
一方（ｃ）は、図４のシーケンスにおいてステップＳ４０９の判定がＹｅｓとなる場合に対応し、例えば内周側に欠陥領域を持つディスクのような異常ケースを示したものである。この場合には、内周側のＤＭＡ１，２の情報が不完全であり、外周側のＤＭＡ３，４の情報を基に、ピックアップを外周側から内周側へ戻して再度Ｄｉｓｃ状態情報を読み出すことになる。しかしながら、内周側のＤＭＡ１，２の情報が共に不完全となる（ｃ）のようなケースは極めて稀であり、その発生確率は低い。
【００３８】
また（ｃ）には、図４のシーケンスにおけるステップＳ４１７に対応して、情報読み出し終了後のピックアップの位置をＯＰＣ領域よりも外周側位置（◎印）に移動させることを、点線９０にて示した。
【実施例２】
【００３９】
図５は、本発明における管理情報取得のシーケンスの他の実施例を示す図である。この実施例においても、前記図１の情報記録再生装置と、前記図２、図３の光ディスクを用いることを前提とする。この実施例では、各ＤＭＡ、各Ｄｉｓｃ状態情報の読み出しを更新順序に行い、１つのＤＭＡが正常に読めたら、以降のＤＭＡについての読み出しを停止する、また１つのＤｉｓｃ状態情報が正常に読めたら、以降のＤｉｓｃ状態情報の読み出しを停止することに特徴がある。
【００４０】
まず、マイクロプロセッサ６の制御により、ＤＭＡはその更新順序に従って、ＤＭＡ１から読み出す（Ｓ５０２）。マイクロプロセッサ６内のＤＭＡエラー検出回路６１は、ＤＭＡ１に記述されているＤＤＳ情報やＤＦＬ情報を正常に読めたかどうかを判定する（Ｓ５０３）。正常に読めたと判断したら、マイクロプロセッサ６は該ＤＤＳ情報に基づきＤｉｓｃ状態情報１を読み出し、Ｄｉｓｃ状態情報記憶回路６２に記憶する（Ｓ５１０）。Ｄｉｓｃ状態情報１を正常に読めたら（Ｓ５１１）、それで終了とする（Ｓ５１３）。もしＤＭＡエラー検出回路６１がＤｉｓｃ状態情報１を正常に読めなかったと判断したら（Ｓ５１１でＮｏ）、これに代えてＤｉｓｃ状態情報２を読み出しＤｉｓｃ状態情報記憶回路６２に記憶する（Ｓ５１２）。
【００４１】
ステップＳ５０３で、ＤＭＡエラー検出回路６１がＤＭＡ１を正常に読めなかったと判断したら、ＤＭＡ２を読み出しＤｉｓｃ状態情報記憶回路６２に記憶する（Ｓ５０４）。ＤＭＡエラー検出回路６１はＤＭＡ２に記述されているＤＤＳ情報やＤＦＬ情報を正常に読めたかどうか判定する（Ｓ５０５）。正常に読めたと判断したら、該ＤＤＳ情報に基づきＤｉｓｃ状態情報１を読み出しＤｉｓｃ状態情報記憶回路６２に記憶する（Ｓ５１０）。Ｄｉｓｃ状態情報１を正常に読めなかったと判断したら、Ｄｉｓｃ状態情報２を読み出しＤｉｓｃ状態情報記憶回路６２に記憶し（Ｓ５１２）、終了する。
【００４２】
以下同様に繰り返して、１つのＤＭＡまたは１つのＤｉｓｃ状態情報を正常に読み出した時点で、読み出しを終了する。この方法では、ＤＭＡやＤｉｓｃ状態情報をそれらの更新した順に読み出すものであるが、正常なディスクにおいては、更新作業が途中で中断するトラブルを想定しても、更新した順に各データの更新回数は多くなる。すなわち、最初に取得したデータは信頼性の高いデータとなることが期待できるので、それ以降のデータを取得する必要がない。
【００４３】
本実施例のシーケンスにおけるピックアップの移動を、図９の（ｄ）に示す。（ｄ）は、図５のステップＳ５０３の判定がＹｅｓで、かつステップＳ５１１の判定がＹｅｓとなった場合に対応する。図から明らかなように、ピックアップは内周側のＤＭＡ１からＤｉｓｃ状態情報１へ移動して読み出すだけで終了するので、読み出し時間を最も短縮することができる。そして読み出し時間が短縮するにもかかわらず、信頼性の高いデータを効率良く取得することができる。
【００４４】
なお、本実施例の変形例として、内周側のＤＭＡ１，２、及び外周側のＤＭＡ３，４をそれぞれ１つのグループとし、グループ単位でＤＭＡを読み出すようにしても良い。そして、先行する内周側グループから少なくとも１つのＤＭＡを正常に読み出した時点で、読み出しを終了する。この場合のシーケンスは、図５において、ステップＳ５０２からＳ５０４へ、またステップＳ５０６からＳ５０８へスキップすることになる。
【実施例３】
【００４５】
図６は、本発明における管理情報取得のシーケンスのさらに他の実施例を示す図である。本実施例は、ＤＭＡ読み出しに関する前記図８のシーケンスの一部を変更したものである。本実施例の特徴は、図８のステップＳ８０３、Ｓ８０９におけるリトライ動作において、既にＤＭＡやＤｉｓｃ状態情報を正常に取得している場合には、以降のリトライ回数の閾値を減少させて読み出しの高速化を図るようにしたことである。また、図８のステップＳ８０７におけるＤＦＬ（４クラスタで構成）の読み出しにおいて、既にＤＦＬを正常に取得している場合には、以降のＤＦＬはまず先頭クラスタのみを読み出す。そして、ＤＦＬ更新回数が既取得ＤＦＬの更新回数以下の場合には、残りの３クラスタの読み出しを省略することで読み出しの高速化を図るようにしたことである。
【００４６】
以下、図６におけるシーケンスを順に説明する。まず、マイクロプロセッサ６の制御により、当該ＤＭＡから４個のＤＤＳを読み出し（Ｓ６０１）、マイクロプロセッサ６内のＤＭＡエラー検出回路６１で読み出しの成否を判定する（Ｓ６０２）。読み出しに失敗したら（Ｓ６０２でＮｏ）、取得済みＤＤＳがあるかを判定する（Ｓ６０３）。取得済みＤＤＳがあればリトライ動作の規定回数（閾値）を減じて設定し（Ｓ６０４）、その規定回数になるまでリトライ動作を繰り返す（Ｓ６０５）。
【００４７】
読み出した４個のＤＤＳのうち更新回数が最多のＤＤＳを選択する（Ｓ６０６）。ＤＳＳ更新回数比較回路６３は、選択したＤＤＳの更新回数を既に読み出したＤＭＡから取得したＤＤＳの更新回数と比較する（Ｓ６０７）。当該ＤＤＳの更新回数の方が大きければ当該ＤＤＳの情報で置き換える（Ｓ６０８）。既に取得したＤＤＳの更新回数の方が大きければ（Ｓ６０７でＮｏ）、既に取得したＤＤＳの情報のままとする。
【００４８】
次に、取得したＤＤＳ情報に記述されているＤＦＬアドレス（ＡＤ＿ＤＦＬ）にて指定されたＤＦＬを読み出す。ここにＤＦＬは４個のクラスタで構成されており、ＤＦＬ更新回数は先頭のクラスタに記述されている。本実施例では、まずＤＦＬの先頭クラスタのみを読み出す（Ｓ６０９）。ＤＦＬ読み出しに失敗したら（Ｓ６１０でＮｏ）、取得済みＤＦＬがあるかどうか判定する（Ｓ６１１）。取得済みＤＦＬがあればリトライ動作の規定回数（閾値）を減じて設定し（Ｓ６１２）、その規定回数になるまでリトライ動作を繰り返す（Ｓ６１３）。
【００４９】
ＤＦＬの先頭クラスタの読み出しに成功したら（Ｓ６１０でＹｅｓ）、取得済みＤＦＬがあるかどうか判定する（Ｓ６１４）。取得済みＤＦＬがあれば、当該ＤＦＬに記述された更新回数を、既に取得したＤＦＬの更新回数と比較する（Ｓ６１５）。取得済みＤＦＬの更新回数より当該ＤＦＬの更新回数が大きくなければ（Ｓ６１５でＮｏ）、読み出し処理を停止する（Ｓ６１６）。当該ＤＦＬの更新回数の方が大きければ、当該ＤＦＬの残り３個のクラスタを継続して読み出す（Ｓ６１７）。読み出しに失敗したら（Ｓ６１８でＮｏ）、上記したステップＳ６１１に移行しリトライ動作を行う。
【００５０】
ステップＳ６１８の判定で読み出しに成功したら、当該ＤＦＬに記述された更新回数を、既に取得したＤＦＬの更新回数と比較する（Ｓ６１９）。取得済みＤＦＬの更新回数より当該ＤＦＬの更新回数の方が大きければ、当該ＤＦＬの情報で置き換える（Ｓ６２０）。取得済みＤＦＬの更新回数より当該ＤＦＬの更新回数が大きくなければ（Ｓ６１９でＮｏ）、取得済みＤＦＬの情報のままとする。
【００５１】
以上のシーケンスによれば、次の点で読み出しの高速化を図ることができる。
（１）取得済みのＤＤＳやＤＦＬがあれば、ステップＳ６０４とＳ６１２において、リトライ動作の規定回数（閾値）を減じて設定することで、リトライを必要とする異常ケースに要する時間を短縮することができる。その際、データの読み出しは更新順序に従って行っているので、先に取得したデータがあればその信頼性が高く、後続のデータのリトライ回数を減じても支障は少ない。
（２）取得済みのＤＦＬがあれば、後続ＤＦＬについてはステップＳ６０９のように先頭クラスタのみを読み出し、Ｓ６１６のように残りの３クラスタの読み出しを停止する。これにより、ＤＦＬ読み出しの時間を短縮することができる。
【００５２】
上記実施例１、２、３は、本発明による典型的な実施例であって、さらに各実施例の要素を適宜組み合わせた変形例が可能であることは言うまでもない。
【００５３】
また上記各実施例では、ディスク管理情報として、ディスク上の欠陥管理情報や記録パワー等のディスク状態情報などを例に挙げたが、本発明はこれに限定されず、装置のセットアップに必要な任意の情報を取得する際に適用できる。また、管理情報はディスク上の複数の領域に同一データを多重して記録するものである。上記実施例では、複数の領域は、ディスク上のデータゾーンを挟んで内周側（リードインゾーン）と外周側（リードアウトゾーン）に離散して配置する場合を述べたが、本発明はこれに限定されず、使用するディスクのフォーマットに従い適宜配置する場合にも適用できる。
【図面の簡単な説明】
【００５４】
【図１】本発明による情報記録再生装置の一実施例として、光ディスク装置のブロック構成を示す図。
【図２】本実施例にて使用する高密度リライタブル光ディスクの領域構成を示す図。
【図３】図２におけるＤＤＳ及びＤＦＬに含まれる管理情報の一例を示す図。
【図４】本発明における管理情報取得のシーケンスの一実施例を示す図。
【図５】本発明における管理情報取得のシーケンスの他の実施例を示す図。
【図６】本発明における管理情報取得のシーケンスのさらに他の実施例を示す図。
【図７】ディスクから管理情報を取得する従来のシーケンスを説明する図。
【図８】ディスクから管理情報を取得する従来のシーケンスを説明する図。
【図９】管理情報取得のために必要なピックアップの移動を模式的に示す図。
【符号の説明】
【００５５】
１…記録再生媒体（光ディスク）、２…スピンドルモータ、３…ピックアップ、４…サーボ回路、５…記録・再生回路、６…マイクロプロセッサ、７…制御メモリ、１１…リードインゾーン、１２…データゾーン、１３…リードアウトゾーン、２１〜２４…欠陥管理領域（ＤＭＡ）、２５，２６…ディスク状態情報、２７…試し書き領域（ＯＰＣ）、３１…ディスクデフィニッションストラクチャ（ＤＤＳ）、３２…ディフェクトリスト（ＤＦＬ）、３３…ディスク状態情報（ＤＳＩ）。
【図１】
2007066415.tif 000003
【図２】
2007066415.tif 000004
【図３】
2007066415.tif 000005
【図４】
2007066415.tif 000006
【図５】
2007066415.tif 000007
【図６】
2007066415.tif 000008
【図７】
2007066415.tif 000009
【図８】
2007066415.tif 000010
【図９】
2007066415.tif 000011